(57)【要約】【課題】  強電界アナログ放送が隣接する場合にチューナ部とＩＦ増幅部の利得配分を適正にし、弱電界デジタル放送波を高品質に受信できる放送受信装置を実現する。【解決手段】  アナログ放送を受信して、受信周波数に対応する信号強度を出力するアナログ受信部１２と、周波数に対応する信号強度を格納する格納部１６と、ＯＦＤＭ信号と隣接するアナログ放送を受信するディジタル受信部２１と、ＯＦＤＭ信号を通過させる帯域フィルタ２２と、中間周波数増幅部２３と、ＯＦＤＭ信号の強度を出力する復調部２５と、ＯＦＤＭ信号強度と隣接するアナログ放送の信号強度とを加算し、ＯＦＤＭ信号と音声画像ＦＭ信号の利得を下げさせる第１信号を出力する加算部２６と、復調部から出力されるＯＦＤＭ信号の信号強度から隣接するアナログ放送の信号強度を減算して、利得を上げる第２信号を中間周波数増幅部に出力する減算部２７と、を備えて構成した。【選択図】      図１
2007116623.tif 000002
【特許請求の範囲】
【請求項１】
放送局から送信される所定周波数のＯＦＤＭ信号と前記ＯＦＤＭ信号に隣接した音声画像ＦＭ信号を受信して、復調されたＯＦＤＭ信号を得る放送受信装置において、
前記ＯＦＤＭ信号と前記音声画像ＦＭ信号のうち、前記音声画像ＦＭ信号のみを受信して、前記音声画像ＦＭ信号の周波数に対応する信号強度を出力するアナログ受信部と、
前記音声画像ＦＭ信号の周波数に対応する信号強度を格納しておく格納部と、
所定周波数の前記ＯＦＤＭ信号と前記所定周波数に隣接する前記音声画像ＦＭ信号の両方を受信するディジタル受信部と、
前記ディジタル受信部で受信されたＯＦＤＭ信号と前記音声画像ＦＭ信号のうち、前記音声画像ＦＭ信号を除去し、前記ＯＦＤＭ信号を通過させる帯域フィルタと、
前記帯域フィルタを通過した前記ＯＦＤＭ信号を増幅する中間周波数増幅部と、
前記中間周波数増幅部で増幅された前記ＯＦＤＭ信号の信号強度を出力する復調部と、
前記復調部から出力される前記ＯＦＤＭ信号の信号強度と前記格納部に格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する加算部と、
前記復調部から出力される前記ＯＦＤＭ信号の信号強度から前記格納部に格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力する減算部と、
を備えたことを特徴とする放送受信装置。
【請求項２】
放送局から送信される所定周波数のＯＦＤＭ信号と前記ＯＦＤＭ信号に隣接した音声画像ＦＭ信号を受信して、復調されたＯＦＤＭ信号を得る放送受信方法において、
前記ＯＦＤＭ信号と前記音声画像ＦＭ信号のうち、アナログ受信部で前記音声画像ＦＭ信号のみを受信して、前記音声画像ＦＭ信号の周波数に対応する信号強度を得て格納部に格納する一方、ディジタル受信部で前記ＯＦＤＭ信号と前記音声画像ＦＭ信号の両方を受信し、
前記ディジタル受信部で受信された前記ＯＦＤＭ信号と前記音声画像ＦＭ信号のうち、帯域フィルタにより、前記音声画像ＦＭ信号を除去し、前記ＯＦＤＭ信号のみを通過させ、
次に、中間周波数増幅部で前記帯域フィルタを通過した前記ＯＦＤＭ信号を増幅した後、復調部で前記ＯＦＤＭ信号の信号強度を生成し、
次に、前記復調器で生成された前記ＯＦＤＭ信号の信号強度と前記格納部に予め格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する一方、前記復調器で生成された前記ＯＦＤＭ信号の信号強度から前記格納部に予め格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力し、
次に、前記第１信号に基づいて、前記ディジタル受信部で受信される前記ＯＦＤＭ信号と前記音声画像ＦＭ信号を増幅した後に、前記第２信号に基づいて、前記帯域フィルタを通過した前記ＯＦＤＭ信号を前記中間周波数増幅部で増幅することを特徴とする放送受信方法。
【発明の詳細な説明】
【技術分野】
【０００１】
本発明は、強電界で受信されるアナログテレビジョンの放送周波数帯域に隣接するディジタルテレビジョン放送を受信する放送受信装置及び放送受信方法に関する。
【背景技術】
【０００２】
最近になり、ＯＦＤＭ方式による地上波ディジタルテレビジョン放送がなされるようになってきた。現在放送されているアナログテレビジョン信号の放送を継続しつつディジタルテレビジョン放送を行う。ディジタルテレビジョン放送は従来からなされているアナログテレビジョン放送チャンネルの空きチャンネルで行われることもある。ディジタルテレビジョン放送がアナログテレビジョン受信に与える干渉を小さくするため、ディジタルテレビジョン放送の送信電力は低い値に抑えられている。ディジタルテレビジョン放送がアナログテレビジョン放送チャンネルに隣接してなされる場合もあり、ディジタルテレビジョン放送受信機は強電界アナログテレビジョン放送から受ける妨害を少なくした受信を行うことが好ましい。ディジタルテレビジョン放送受信機内で増幅される信号のレベルを適正に保つ必要がある。
【０００３】
特許文献１には、受信される信号を、ＡＧＣ制御を行いつつ増幅して復調するに際し、受信信号に対するＡＧＣ回路として、第１ＡＧＣ制御系と第２ＡＧＣ制御系との２つの制御系を用いるようにした受信装置が開示されている。第１ＡＧＣ制御系は希望波に対する不要波の妨害が少ないとされる信号状態で良好な制御結果が得られるようにし、第２の制御系では、希望波に対する不要波の妨害が大きいとされる信号状態で良好な制御結果が得られるようにする。受信環境に応じた受信信号の信号状態として、ＡＧＣ値、ビットエラーレート値、Ｃ／Ｎ値などの情報に基づいて、受信している信号の状態を推定して、第１ＡＧＣ制御系と第２ＡＧＣ制御系とのいずれの制御とするかを決定するようにした受信装置が開示されている。
【特許文献１】特開２００５−１０２００８号公報
【発明の開示】
【発明が解決しようとする課題】
【０００４】
しかしながら、特許文献１に開示されている受信装置では希望波と不要波の別を問わず、例えば信号対域内において最も電界強度が高いとされる受信波成分に対応してＡＧＣ動作を行っている。隣接される不要波の放送チャンネルが希望波の放送チャンネルに隣接している場合では第２ＡＧＣ制御系を用いるようにしてチューナ部の利得を低くなるように制御し、隣接される不要波の放送チャンネルが希望波の放送チャンネルに隣接していない場合では第２ＡＧＣ制御系をオフとして第１ＡＧＣ制御系のみでチューナ部の利得を制御している。第１及び第２ＡＧＣ制御系を切り替えながらＡＧＣの制御動作を行っているため、制御系の切り替えが正しく行われない場合にはチューナ部の利得が適正に制御されなく常に高品質な受信状態で受信装置を動作させることが出来なかった。
【０００５】
そこで、本発明は、上記のような問題点を解消するためになされたもので、隣接する不要波が特定の周波数で電界強度が高いアナログ放送であるか否かに応じてディジタル受信部と中間周波数増幅部との利得配分を適正に保ち、弱電界でのデジタル放送信号の受信を高品質に行うことのできる放送受信装置及び放送受信方法を提供することを目的とする。
【課題を解決するための手段】
【０００６】
本願発明における第１の発明は、放送局から送信される所定周波数のＯＦＤＭ信号と前記ＯＦＤＭ信号に隣接した音声画像ＦＭ信号を受信して、復調されたＯＦＤＭ信号を得る放送受信装置において、前記ＯＦＤＭ信号と前記音声画像ＦＭ信号のうち、前記音声画像ＦＭ信号のみを受信して、前記音声画像ＦＭ信号の周波数に対応する信号強度を出力するアナログ受信部と、前記音声画像ＦＭ信号の周波数に対応する信号強度を格納しておく格納部と、所定周波数の前記ＯＦＤＭ信号と前記所定周波数に隣接する前記音声画像ＦＭ信号の両方を受信するディジタル受信部と、前記ディジタル受信部で受信されたＯＦＤＭ信号と前記音声画像ＦＭ信号のうち、前記音声画像ＦＭ信号を除去し、前記ＯＦＤＭ信号を通過させる帯域フィルタと、前記帯域フィルタを通過した前記ＯＦＤＭ信号を増幅する中間周波数増幅部と、前記中間周波数増幅部で増幅された前記ＯＦＤＭ信号の信号強度を出力する復調部と、前記復調部から出力される前記ＯＦＤＭ信号の信号強度と前記格納部に格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する加算部と、前記復調部から出力される前記ＯＦＤＭ信号の信号強度から前記格納部に格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力する減算部と、を備えたことを特徴とする放送受信装置を提供する。
第２の発明は、放送局から送信される所定周波数のＯＦＤＭ信号と前記ＯＦＤＭ信号に隣接した音声画像ＦＭ信号を受信して、復調されたＯＦＤＭ信号を得る放送受信方法において、前記ＯＦＤＭ信号と前記音声画像ＦＭ信号のうち、アナログ受信部で前記音声画像ＦＭ信号のみを受信して、前記音声画像ＦＭ信号の周波数に対応する信号強度を得て格納部に格納する一方、ディジタル受信部で前記ＯＦＤＭ信号と前記音声画像ＦＭ信号の両方を受信し、前記ディジタル受信部で受信された前記ＯＦＤＭ信号と前記音声画像ＦＭ信号のうち、帯域フィルタにより、前記音声画像ＦＭ信号を除去し、前記ＯＦＤＭ信号のみを通過させ、次に、中間周波数増幅部で前記帯域フィルタを通過した前記ＯＦＤＭ信号を増幅した後、復調部で前記ＯＦＤＭ信号の信号強度を生成し、次に、前記復調器で生成された前記ＯＦＤＭ信号の信号強度と前記格納部に予め格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する一方、前記復調器で生成された前記ＯＦＤＭ信号の信号強度から前記格納部に予め格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力し、次に、前記第１信号に基づいて、前記ディジタル受信部で受信される前記ＯＦＤＭ信号と前記音声画像ＦＭ信号を増幅した後に、前記第２信号に基づいて、前記帯域フィルタを通過した前記ＯＦＤＭ信号を前記中間周波数増幅部で増幅することを特徴とする放送受信方法を提供する。
【発明の効果】
【０００７】
本発明によれば、ＯＦＤＭ信号と音声画像ＦＭ信号のうち、前記音声画像ＦＭ信号のみを受信して、前記音声画像ＦＭ信号の周波数に対応する信号強度を出力するアナログ受信部と、前記音声画像ＦＭ信号の周波数に対応する信号強度を格納しておく格納部と、所定周波数の前記ＯＦＤＭ信号と前記所定周波数に隣接する前記音声画像ＦＭ信号の両方を受信するディジタル受信部と、前記ディジタル受信部で受信されたＯＦＤＭ信号と前記音声画像ＦＭ信号のうち、前記音声画像ＦＭ信号を除去し、前記ＯＦＤＭ信号を通過させる帯域フィルタと、前記帯域フィルタを通過した前記ＯＦＤＭ信号を増幅する中間周波数増幅部と、前記中間周波数増幅部で増幅された前記ＯＦＤＭ信号の信号強度を出力する復調部と、前記復調部から出力される前記ＯＦＤＭ信号の信号強度と前記格納部に格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する加算部と、前記復調部から出力される前記ＯＦＤＭ信号の信号強度から前記格納部に格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力する減算部と、を備えているので、隣接する不要波が特定の周波数で電界強度が高いアナログ放送であるか否かに応じてディジタル受信部と中間周波数増幅部との利得配分を適正に保ち、弱電界デジタル放送信号の受信を高品質に行うことのできる放送受信装置及び放送受信方法を実現できる。
【発明を実施するための最良の形態】
【０００８】
以下に本発明の放送受信装置及び放送受信方法の実施例に係る放送受信装置について図１〜図４を用いて説明する。
図１は、本発明の実施に係る放送受信装置の構成例を示すブロック図である。
図２は、デジタルテレビジョン信号とアナログテレビジョン信号の信号強度分布を示す図である。
図３は、本発明の実施に係るチューナ部及びＩＦ増幅部の利得配分を示す図である。
図４は、本発明実施の応用例に係る放送受信装置の構成を示すブロック図である。
【０００９】
その放送受信装置は隣接する不要波が特定の周波数で電界強度が高いアナログ放送であるか否かに応じてディジタル受信部と中間周波数増幅部との利得配分を適正に保ち、弱電界デジタル放送信号の受信を高品質に行うことのできる放送受信装置を実現するという目的を、ＯＦＤＭ信号と音声画像ＦＭ信号のうち、前記音声画像ＦＭ信号のみを受信して、前記音声画像ＦＭ信号の周波数に対応する信号強度を出力するアナログ受信部と、前記音声画像ＦＭ信号の周波数に対応する信号強度を格納しておく格納部と、所定周波数の前記ＯＦＤＭ信号と前記所定周波数に隣接する前記音声画像ＦＭ信号の両方を受信するディジタル受信部と、前記ディジタル受信部で受信されたＯＦＤＭ信号と前記音声画像ＦＭ信号のうち、前記音声画像ＦＭ信号を除去し、前記ＯＦＤＭ信号を通過させる帯域フィルタと、前記帯域フィルタを通過した前記ＯＦＤＭ信号を増幅する中間周波数増幅部と、前記中間周波数増幅部で増幅された前記ＯＦＤＭ信号の信号強度を出力する復調部と、前記復調部から出力される前記ＯＦＤＭ信号の信号強度と前記格納部に格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する加算部と、前記復調部から出力される前記ＯＦＤＭ信号の信号強度から前記格納部に格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力する減算部と、を備えるようにして実現した。
【００１０】
放送受信装置の構成について述べる。
図１に示す放送受信装置１は、分配器１１、アナログチューナ１２、アナログ復調器１３、Ａ／Ｄ変換器１５、メモリ１６、制御器１７、Ｄ／Ａ変換器１８、ディジタルチューナ２１、ＳＡＷ（Surface Acoustic Wave :表面弾性波）フィルタ２２、ＩＦ（Intermediate frequency）増幅器２３、ディジタル復調器２４、利得制御信号発生器２５、加算器２６及び減算器２７で構成される。
【００１１】
放送受信装置１の動作について述べる。
まず、放送受信装置１が設置され最初にコンセントが電源に接続された場合に、アナログテレビジョン信号（音声画像ＦＭ信号）の受信部分に電源を供給する。制御器１７はアナログチューナ１２に対して全受信チャンネルのスイープ受信を命じる。アナログチューナ１２は分配器１１を介して入力されるアナログ放送信号を受信し、受信される全のアナログ放送信号のＲＳＳＩ（Received Signal Strength Indicator：受信信号強度）信号を得る。Ａ／Ｄ変換器１５はＲＳＳＩ信号をディジタル信号に変換し、ＲＳＳＩ情報を得る。メモリ１６は制御器１７により制御され、受信チャンネルの番号とその受信チャンネルで受信されたアナログ放送信号のＲＳＳＩ情報とを関連付けて記憶する。
【００１２】
次に、放送受信装置１の電源スイッチが投入されて受信が開始されるディジタル放送信号（ＯＦＤＭ信号）の受信について述べる。
図示しないリモコンなどが操作されて受信チャンネルの番号が選択された場合に、制御器１７はディジタルチューナ２１に対して選択された受信チャンネルのディジタル放送信号の受信を開始させると共に、メモリ１６に記憶される受信チャンネルに隣接して受信されるアナログ放送信号があるか否かを検出する。ディジタル放送信号に隣接して放送されるアナログ放送信号がある場合には、その受信されるアナログ放送信号のＲＳＳＩ情報をメモリ１６から取得する。Ｄ／Ａ変換器１８はＲＳＳＩ情報をアナログのＲＳＳＩ信号に変換する。ＲＳＳＩ信号は加算器２６の正（＋）入力端子に入力されると共に、減算器２７の負（−）入力端子に入力される。ディジタルチューナ２１は、分配器１１から入力されるディジタル放送信号及び隣接チャンネルのアナログ放送信号を、加算器２６から供給される信号レベルに応じた利得で増幅すると共に、周波数変換を行い中間周波数信号を得る。
【００１３】
ＳＡＷフィルタ２２は、ディジタルチューナ２１で周波数変換された中間周波数のディジタル放送信号及びアナログ放送信号のうち、ディジタル放送信号のみを通過させる。ディジタル放送信号のみを得る。ＩＦ増幅器２３は減算器２７から得られる信号に応じた増幅度でディジタル放送信号を増幅する。利得制御信号発生器２５はＩＦ増幅器２３で増幅して得られるディジタル放送信号の信号レベルに応じた利得制御信号を生成する。大きなディジタル放送信号の信号レベルに対して大きな利得制御信号を生成する。加算器２６は利得制御信号と、Ｄ／Ａ変換器１８から出力されるＲＳＳＩ信号とを加算して加算信号を得る。加算信号は加算器２６からディジタルチューナ２１に供給される。ディジタルチューナ２１は加算信号のレベルに応じて利得を減衰させる。隣接して受信されるアナログ放送信号がある場合には、そのＲＳＳＩ信号レベルに応じてディジタルチューナ２１での増幅利得を低下させるため、ディジタルチューナ２１で非直線増幅され、アナログ放送信号から発生される歪成分を低下させることができる。
【００１４】
減算器２７は、利得制御信号発生器２５で得られた利得制御信号からＤ／Ａ変換器１８で得られたＲＳＳＩ信号を減算して減算信号を得る。減算信号は減算器２７からＩＦ増幅器２３に供給される。ＩＦ増幅器２３は減算信号のレベルに応じた利得でディジタル放送信号を増幅する。ディジタル復調器２４は所定のレベルに増幅されたディジタル放送信号の復調を行う。ＯＦＤＭ（Orthogonal Frequency Division Multiplexing）信号をＦＦＴ（Fast Fourier Transform：高速フーリエ変換）して後、多値変調されるディジタル変調信号を復調し、ディジタル復調出力を得る。
ここで、ＩＦ増幅器２３での増幅利得は減算信号のレベルに応じて設定される。ディジタルチューナ２１で低下された増幅度の分、増強して増幅される。隣接チャンネルで放送されるアナログ放送信号からの歪成分が混入されないディジタル放送信号の復調を行えるため、ディジタル復調器２４は多値変調されるディジタル変調信号を高品質で復調することが出来る。
なお、アナログ復調器１３はアナログチューナで受信されるアナログ放送信号を復調してアナログ復調出力を得る。アナログ放送受信を行う場合に使用する。
【００１５】
図２を参照して、ディジタル放送信号と、ディジタル放送信号に隣接して放送されるアナログ放送信号の信号強度の関係について述べる。
同図において、横軸が周波数、縦軸が信号強度であり、所定のチャンネルで受信されるデジタル放送信号の隣接チャンネルでアナログ放送信号が受信される場合の信号強度が示されている。
デジタル放送信号はＯＦＤＭ変調された信号であり、信号スペクトラムは帯域内でほぼ矩形分布する。アナログ放送信号は（１）で示す中心キャリア、（２）で示す色信号サブキャリア、及び（３）で示す音声キャリアで大きな信号強度を有する。ＮＴＳＣの場合、（１）と（２）との周波数間隔は３．５８ＭＨｚであり、（１）と（３）との周波数間隔は４．５ＭＨｚである。ＰＡＬ方式の場合は同順で４．４３ＭＨｚ、５．５ＭＨｚである。
【００１６】
ディジタルチューナ２１には受信チャンネルのディジタル放送信号と、受信チャンネルに隣接するアナログ放送信号とが入力される。ディジタル放送信号は矩形分布される信号のためアナログ放送の中心キャリアレベルよりも低いレベルであっても受信可能である。従って、周波数スペクトラムはデジタル放送信号の方がアナログ放送信号よりも低く放送される。そこで、図中にＤＵ比（Desired to Undesired ratio）は、比例えば、アナログ放送信号の（１）で示す中心キャリアよりも３５ｄＢ低いディジタル放送信号に対して復号できる放送受信装置を実現するのが好ましい。
【００１７】
ディジタル放送信号と、隣接するアナログ放送信号とがディジタルチューナ２１に入力され、非線形増幅が行われる場合には、信号レベルの大きな周波数成分同士の、差の周波数の歪成分が生じる。（１）、（３）、乃至は（２）との周波数差の歪成分を生じる。その歪成分はディジタル放送信号周波数帯域に混入され、ＳＡＷフィルタ２２により除去されない。ディジタル復調器２４での復調時にデータ誤り率を増加させる。ディジタルチューナ２１にはディジタル放送信号を構成するＯＦＤＭ信号のサブキャリアよりも大きなレベルのアナログ放送信号の中心キャリア、色信号サブキャリア、音声キャリアが入力される可能性が高い。予めアナログ放送信号の放送チャンネルと、そのチャンネルで受信される中心キャリアに係るＲＳＳＩ信号をメモリ１６に記憶しておき、隣接して受信される場合にはそのアナログ放送信号のＲＳＳＩ信号によりディジタルチューナ２１の利得を減少させる。ＩＦ増幅器２３は低下させた分だけ利得を高めて増幅する。
【００１８】
図３を参照してディジタルチューナ２１の利得の減少と、ＩＦ増幅器２３の利得の増加について述べる。
同図に示す（Ａ）は隣接アナログ放送信号がない又はあっても受信電力が小さい場合で、（Ｂ）は中くらいの受信電力で隣接アナログ放送信号がある場合で、（Ｃ）は受信電量の大きな隣接アナログ放送信号がある場合である。（Ａ）、（Ｂ）、（Ｃ）のそれぞれに示す（１）、（２）、（３）は順にディジタル放送信号の受信電力が小、中、大の場合である。縦軸は増幅度に係る利得を示している。網点の付される部分はディジタルチューナ２１の利得に対応し、斜線で示される部分はＩＦ増幅器２３の利得に対応している。
【００１９】
（Ａ）、（Ｂ）、（Ｃ）それぞれの（１）において、ディジタルチューナ２１の利得とＩＦ増幅器２３の利得を合わせた合計の利得は同じ大きさである。但し、（Ａ）、（Ｂ）、（Ｃ）の間でのディジタルチューナ２１の利得とＩＦ増幅器２３の利得配分が異なっている。（２）、（３）のそれぞれにおいても（Ａ）、（Ｂ）、（Ｃ）の間で合計の利得は同一であるが利得配分が異なっている。
【００２０】
図１に示した加算器２６及び減算器２７は、利得制御信号発生器２５から発生される利得制御信号に応じてディジタルチューナ２１とＩＦ増幅器２３との合計の利得を制御すると共に、Ｄ／Ａ変換器１８から出力されるＲＳＳＩ信号のレベルに応じてディジタルチューナ２１とＩＦ増幅器２３との利得の配分比を可変する。即ち、加算器２６の＋端子に入力されるＲＳＳＩ信号のレベルに応じてディジタルチューナ２１の利得を所定レベル減少させ、減算器２７の−端子に入力されるＲＳＳＩ信号のレベルに応じてＩＦ増幅器２３の利得を所定レベル増加させる。
【００２１】
図４を参照し、放送受信装置の応用例について述べる。図１に示した放送受信装置の構成部分と同一の機能を有する構成部分には同一符号を付し、説明を省く。
図４に示す放送受信装置１ａは、図１に示した放送受信装置１に比し、ＩＭレベル検出器２８が追加して備えられている点、及び加算器２６の代わりに加算器２６ａ、減算器２７の代わりに減算器２７ａが備えられている点で異なっている。
放送受信装置１ａのＩＭレベル検出器２８は図２に示した（１）、（２）ないしは（３）のそれぞれの周波数差として生じる３次のＩＭ歪を検出し、検出されたＩＭ歪成分に対応した歪成分信号を出力する。その歪成分信号は加算器２６ａの＋入力端子と、減算器２７ａの−入力端子に入力される。ディジタルチューナ２１の利得が減少し、ＩＦ増幅器２３の利得が増加する。ＩＭレベル検出器２８により検出される第３次ＩＭ歪が低下する。ＩＭレベル検出器２８により、ディジタルチューナ２１で生じる隣接するアナログ放送信号により生じる歪のレベルを小さくできる。
【００２２】
放送受信装置１ａは、Ｄ／Ａ変換器１８から出力されるＲＳＳＩ信号のレベルに応じてディジタルチューナ２１とＩＦ増幅器２３との利得配分比を変更する。利得配分比が適当でなくＩＭ歪が生じる場合にはＩＭ歪が所定のレベルになるまで配分比を変更する。ディジタルチューナ２１はＩＭ歪を発生させない程度の高い利得でディジタル放送信号を増幅するため、ディジタル放送信号の弱電界受信性能を向上させることが出来る。
【００２３】
以上のように、本実施例で示した放送受信装置１によれば、ＯＦＤＭ信号（ディジタル放送信号）と音声画像ＦＭ信号（アナログ放送信号）のうち、前記音声画像ＦＭ信号のみを受信して、前記音声画像ＦＭ信号の周波数に対応する信号強度を出力するアナログ受信部１２と、前記音声画像ＦＭ信号の周波数に対応する信号強度を格納しておく格納部１６と、所定周波数の前記ＯＦＤＭ信号と前記所定周波数に隣接する前記音声画像ＦＭ信号の両方を受信するディジタル受信部２１と、前記ディジタル受信部で受信されたＯＦＤＭ信号と前記音声画像ＦＭ信号のうち、前記音声画像ＦＭ信号を除去し、前記ＯＦＤＭ信号を通過させる帯域フィルタ２２と、前記帯域フィルタを通過した前記ＯＦＤＭ信号を増幅する中間周波数増幅部２３と、前記中間周波数増幅部で増幅された前記ＯＦＤＭ信号の信号強度を出力する復調部（利得制御信号発生器）２５と、前記復調部から出力される前記ＯＦＤＭ信号の信号強度と前記格納部に格納されている前記ＯＦＤＭ信号に隣接する前記音声画像ＦＭ信号の周波数に対応する信号強度とを加算して、加算されただけ前記ＯＦＤＭ信号と前記音声画像ＦＭ信号の利得を下げる第１信号を前記ディジタル受信部に出力する加算部２６と、前記復調部から出力される前記ＯＦＤＭ信号の信号強度から前記格納部に格納されている前記ＯＦＤＭ信号に隣接する前記音声画像ＦＭ信号の周波数に対応する信号強度を減算して、減算されただけ前記ＯＦＤＭ信号の利得を上げる第２信号を前記中間周波数増幅部に出力する減算部２７と、を備えているので、隣接する不要波が特定の周波数で電界強度が高いアナログ放送であるか否かに応じてディジタル受信部と中間周波数増幅部との利得配分を適正に保ち、弱電界デジタル放送波の受信を高品質に行うことのできる放送受信装置を実現できる。
また、放送受信装置１によれば、ディジタル受信部２１で音声画像ＦＭ信号を非線形増幅することにより生じるＩＭ歪を検出するＩＭレベル検出部２８を備えているので、ディジタル受信部２１の利得をＩＭ歪が発生しない程度の大きな利得に設定できるため、さらに弱電界受信性能を改善した放送受信装置を実現できる。
【産業上の利用可能性】
【００２４】
強電界で受信されるアナログテレビジョンの放送周波数帯域に隣接するディジタルテレビジョン放送の受信を高品質で行うディジタル放送受信装置に適用できる。
【図面の簡単な説明】
【００２５】
【図１】本発明の実施に係る放送受信装置の構成例を示すブロック図である。
【図２】デジタルテレビジョン信号とアナログテレビジョン信号の信号強度分布を示す図である。
【図３】本発明の実施に係るチューナ部及びＩＦ増幅部の利得配分を示す図である。
【図４】本発明実施の応用例に係る放送受信装置の構成を示すブロック図である。
【符号の説明】
【００２６】
１、１ａ    放送受信装置
１１    分配器
１２    アナログチューナ
１３    アナログ復調器
１５    Ａ／Ｄ変換器
１６    メモリ
１７    制御器
１８    Ｄ／Ａ変換器
２１    ディジタルチューナ
２２    ＳＡＷフィルタ
２３    ＩＦ増幅器
２４    ディジタル復調器
２５    利得制御信号発生器
２６、２６ａ    加算器
２７、２７ａ    減算器
２８    ＩＭレベル検出器
【図１】
2007116623.tif 000003
【図２】
2007116623.tif 000004
【図３】
2007116623.tif 000005
【図４】
2007116623.tif 000006